(57)【要約】【課題】フリッカを低減して疑似立体表示を可能にした疑似立体表示装置を提供する。【解決手段】複数の表示部と、その複数の表示部に表示された映像を観察位置に向けて反射するミラーと、を備え、複数の表示部各々で表示される映像信号を互いに異ならせると共に所定周期で表示画像を変化させる疑似立体表示装置。表示部と、その表示部に表示された映像を観察位置に向けて反射するミラーと、そのミラーの角度を変化させる角度可変手段と、を備え、映像信号の１フィールドの表示期間を複数のサブフィールドで構成し、サブフィールド毎に互いに異なる映像信号に切換えると共にサブフィールドに同期してミラーの角度を変化させる疑似立体表示装置。【選択図】図１
2009145829.tif 000002
【特許請求の範囲】
【請求項１】
表示部と、前記表示部に表示された映像を観察位置に向けて反射するミラーと、を備えた擬似立体表示装置であって、
表示部を、複数の表示部で構成し、前記複数の表示部各々で表示される映像信号を互いに異ならせると共に所定周期で表示画像を変化させることを特徴とする擬似立体表示装置。
【請求項２】
映像信号の１フィールドの表示期間を複数のサブフィールドで構成し、サブフィールド毎に互いに異なる映像信号に切換えることを特徴とする請求項２記載の擬似立体表示装置。
【請求項３】
表示部と、前記表示部に表示された映像を観察位置に向けて反射するミラーと、前記ミラーの角度を変化させる角度可変手段と、を備えた擬似立体表示装置であって、
映像信号の１フィールドの表示期間を複数のサブフィールドで構成し、サブフィールド毎に互いに異なる映像信号に切換えると共に前記サブフィールドに同期して前記ミラーの角度を変化させることを特徴とする擬似立体表示装置。
【請求項４】
前記表示部を、複数の表示部で構成し、１のサブフィールド内で各表示部で表示される画像が互いに異なることを特徴とする請求項３記載の擬似立体表示装置。
【請求項５】
前記表示部は、複数の表示部で構成され、各サブフィールドで表示される映像信号が前記複数の表示部の表示画像で１枚のサブフィールド表示画像が構成されるように複数に分割されていることを特徴とする請求項３記載の擬似立体表示装置。
【請求項６】
前記ミラーが、所定の反射膜パターンが形成された透明基板で構成されていることを特徴とする請求項３記載の擬似立体表示装置。
【請求項７】
前記反射膜パターンは、ストライプ状又は格子状であることを特徴とする請求項６記載の擬似立体表示装置。
【請求項８】
前記反射膜パターンは、局所的な反射膜の比率が一定で繰り返し周期の異なるパターンで構成されることを特徴とする請求項６記載の擬似立体表示装置。
【請求項９】
前記ミラーの角度は、サブフィールド数に応じて、所定の角度範囲内をステップ状に変化すると共にフィールド毎に変化する方向が逆転することを特徴とする請求項３記載の擬似立体表示装置。
【発明の詳細な説明】
【技術分野】
【０００１】
本発明は、立体感のある映像を表示する擬似立体表示装置に関する。
【背景技術】
【０００２】
疑似立体表示装置としては、表示装置と観察する立体物との間にハーフミラーを配置し、観察者はハーフミラーを透過してきた立体物の直接光にハーフミラーで反射した表示装置の表示映像の反射光を重ね合わせて見る表示装置がある（特許文献１）。この表示装置においては、更に、ハーフミラーを角度制御機構によってその反射角が変化するようにされている。この結果、立体物に重ね合わされた表示装置の表示映像はハーフミラーの角度変化に応じて立体物の手前と背後に近景の映像反射光及び遠景の映像反射光が各々合成され、観察者は表示映像の背景の中に立体物があたかも存在しているように擬似的に見ることができる。
【特許文献１】特許第３５２１９３０号公報
【発明の開示】
【発明が解決しようとする課題】
【０００３】
しかしながら、かかる従来の疑似立体表示装置では、映像信号をフィールド毎に切換えると共にミラー角度をフィールドに同期して変化させて、擬似立体画像表示を行う構成を示しているが、フィールド毎の映像信号の切換えのため、フリッカが目立ち、擬似立体表示画像としては、不十分なものとなっている。
【０００４】
本発明が解決しようとする課題には、上記の問題点が一例として挙げられ、フリッカを低減して疑似立体表示を可能にした疑似立体表示装置を提供することが本発明の目的である。
【課題を解決するための手段】
【０００５】
請求項１に係る発明の擬似立体表示装置は、表示部と、前記表示部に表示された映像を観察位置に向けて反射するミラーと、を備えた擬似立体表示装置であって、表示部を、複数の表示部で構成し、前記複数の表示部各々で表示される映像信号を互いに異ならせると共に所定周期で表示画像を変化させることを特徴としている。
【０００６】
請求項３に係る発明の擬似立体表示装置は、表示部と、前記表示部に表示された映像を観察位置に向けて反射するミラーと、前記ミラーの角度を変化させる角度可変手段と、を備えた擬似立体表示装置であって、映像信号の１フィールドの表示期間を複数のサブフィールドで構成し、サブフィールド毎に互いに異なる映像信号に切換えると共に前記サブフィールドに同期して前記ミラーの角度を変化させることを特徴としている。
【発明を実施するための最良の形態】
【０００７】
請求項１に係る発明の擬似立体表示装置においては、複数の表示部各々の表示映像がミラーを介して反射して観察位置の観察者に到達し、複数の表示部各々の異なる表示映像の虚像が空間的に合成され、それにより１つの映像として観察者は見ることができる。また、表示部各々の配置位置に応じた遠近によって立体感を与えることができ、ミラーの角度は固定であり、表示画像は所定周期で変化するのでフリッカの発生を防止することができる。
【０００８】
請求項３に係る発明の擬似立体表示装置においては、表示部の表示映像がミラーを介して反射して観察位置の観察者に到達し、ミラーの角度をサブフィールド毎に角度可変手段によって変化させ、それと同期して表示部の表示映像が異なるものとなるので、表示映像の虚像が時間的に合成され、それにより１つの映像として観察者は見ることができる。また、サブフィールド毎に映像映像が切り換えられるので、フリッカを低減させることができる。
【実施例】
【０００９】
以下、本発明の実施例を図面を参照しつつ詳細に説明する。
【００１０】
図１は請求項１に係る発明が適用された疑似立体表示装置の側面を示している。この疑似立体表示装置は、４つのディスプレイ部１〜４と、全反射ミラー５とを備えている。
【００１１】
４つのディスプレイ部１〜４各々は後述の映像信号発生部６から供給される映像信号に応じて映像を表示する。４つのディスプレイ部１〜４各々の表示映像が全反射ミラー５の反射面にて反射されて観察者（ビュアー）の目Ｅ（観察位置）に到達するように４つのディスプレイ部１〜４は観察者の目Ｅの位置より上方に配置されており、ディスプレイ部１が最上部に位置し、ディスプレイ部２，３，４の順に下方位置となるように各々が異なる位置に配置されている。ディスプレイ部１〜４の映像表示面は全反射ミラー５側において若干上方に傾けられている。全反射ミラー５は観察者の前方に配置され、反射面が若干上方に傾けられている。４つのディスプレイ部１〜４の映像表示面は互いに不平行であり、垂直方向に対して異なる角度である。その角度は４つのディスプレイ部１〜４の順に大きくなっている。
【００１２】
映像信号発生部６は図２に示すように、第１〜第４映像部分抽出部１１〜１４を有する。第１〜第４映像部分抽出部１１〜１４の各々には同一の入力映像信号が供給される。その入力映像信号が示す映像は第１〜第４映像部分抽出部１１〜１４によって４分割される。第１映像部分抽出部１１は入力映像信号が示す映像の最上部に位置する横帯状の第１映像部だけの映像信号を抽出する。第２映像部分抽出部１２は入力映像信号が示す映像のうちの第１映像部に下方に続く横帯状の第２映像部だけの映像信号を抽出する。第３映像部分抽出部１３は入力映像信号が示す映像のうちの第２映像部に下方に続く横帯状の第３映像部だけの映像信号を抽出する。第４映像部分抽出部１１は入力映像信号が示す映像のうちの第３映像部に下方に続く横帯状の第４映像部だけの映像信号を抽出する。第１〜第４映像部においてはその境界部分で若干の重なり部分があっても良い。
【００１３】
また、第１〜第４映像部分抽出部１１〜１４各々は抽出した映像信号を１フィールド（又は１フレーム）の長さに伸長して映像信号を生成する。すなわち、第１〜第４映像部各々が４つのディスプレイ部１〜４の表示画面全体で表示されるように上下方向において伸長される。映像信号は１秒間に６０コマの映像を示す。
【００１４】
かかる構成の疑似立体表示装置においては、入力映像信号が第１〜第４映像部分抽出部１１〜１４に供給されると、第１〜第４映像部分抽出部１１〜１４から個別に映像信号が４つのディスプレイ部１〜４各々に供給される。
【００１５】
図１に示すように、ディスプレイ部１の表示映像は全反射ミラー５で反射されて観察者の目Ｅに到達し、観察者には虚像１ａが見える。ディスプレイ部２の表示映像は全反射ミラー５で反射されて観察者の目Ｅに到達し、観察者には虚像２ａが見える。ディスプレイ部３の表示映像は全反射ミラー５で反射されて観察者の目Ｅに到達し、観察者には虚像３ａが見える。ディスプレイ部４の表示映像は全反射ミラー５で反射されて観察者の目Ｅに到達し、観察者には虚像４ａが見える。
【００１６】
これらの虚像１ａ〜４ａは空間的に合成されて観察者には図３に示すように１つの映像として見ることができる。図１に示したように、虚像１ａ〜４ａは観察者からは上方であるほど遠ざかるように斜めに形成されるので、その１つの画像は立体的に表示される。第１映像部は遠景、第２映像部は中景、第３及び第４映像部は近景を示すならば、観察者はより立体感を感ずることができる。
【００１７】
なお、各ディスプレイ部１〜４には対して映像信号を供給する映像信号発生部６は、図４に示すように第１〜第４映像信号源２１〜２４を備え、第１〜第４映像信号源２１〜２４によって生成される映像信号を同期をとって個別に供給しても良い。
【００１８】
また、ディスプレイ部１〜４に供給される映像信号の１フィールドの表示期間を複数のサブフィールドで構成し、サブフィールド毎に互いに異なる映像信号に切換えても良い。
【００１９】
上記の実施例ではディスプレイ部の数は４であるがそれに限らず、複数のディスプレイ部であれば良い。
【００２０】
図５は請求項３に係る発明が適用された疑似立体表示装置を示している。この疑似立体表示装置は、単一のディスプレイ部７と、全反射ミラー８とを備えている。全反射ミラー８は観察者の前方に配置されている。全反射ミラー８には図５に示すように、反射面が垂直方向に対して４つの角度θ１〜θ４だけ上方向に向くように角度調整機構１０（図６参照）が備えられている。θ１＜θ２＜θ３＜θ４である。角度調整機構１０は例えば、ステップモータを含んでいる。
【００２１】
ディスプレイ部７は映像信号発生部９から供給される映像信号に応じて映像を表示する。ディスプレイ部７の表示映像が全反射ミラー８の反射面にて反射されて観察者に到達するようにディスプレイ部７は観察者の目Ｅの位置より上方に配置され、その映像表示面が垂直方向に対して上方向を向くようにされている。
【００２２】
映像信号発生部９は、図６に示すように、第１〜第４映像信号源３１〜３４と、信号切換器３５と、表示制御部３６とを備えている。
【００２３】
第１〜第４映像信号源３１〜３４各々は第１〜第４映像信号を発生する。第１映像信号源３１は観察者に立体的に見せるべき映像の最上部に位置する横帯状の第１映像部だけの第１映像信号を生成する。第２映像信号源３２は観察者に立体的に見せるべき映像のうちの第１映像部に下方に続く横帯状の第２映像部だけの第２映像信号を生成する。第３映像信号源３３は観察者に立体的に見せるべき映像のうちの第２映像部に下方に続く横帯状の第３映像部だけの第３映像信号を生成する。第４映像信号源３４は観察者に立体的に見せるべき映像のうちの第３映像部に下方に続く最下部の横帯状の第４映像部だけの第４映像信号を生成する。第１〜第４映像部においてはその境界部分で若干の重なり部分があっても良い。第１〜第４映像信号源３１〜３４各々で生成される第１〜第４映像信号はディスプレイ部７では画面全部に表示されるように１フィールド（又は１フレーム）の長さに伸長されている。
【００２４】
第１〜第４映像信号源３１〜３４各々から生成される第１〜第４映像信号は信号切換器３５に供給される。信号切換器３５は、表示制御部３６による指令に応じて第１〜第４映像信号をサブフィールド期間である１／２４０秒毎に切り換えてディスプレイ部７に対して出力する。例えば、第１映像信号、第２映像信号、第３映像信号、そして第４映像信号の順に出力され、それが繰り返される。
【００２５】
表示制御部３６は、信号切換器３５を切り換え制御すると共に、第１〜第４映像信号源３１〜３４による第１〜第４映像信号の発生の同期を制御する。また、角度調整機構１０を制御して全反射ミラー８の反射面に傾き角度θ１〜θ４を与える。信号切換器３５が第１映像信号を選択出力するとき全反射ミラー８の反射面を角度θ１に傾け、第２映像信号を選択出力するとき全反射ミラー８の反射面を角度θ２に傾け、第３映像信号を選択出力するとき全反射ミラー８の反射面を角度θ３に傾け、第４映像信号を選択出力するとき全反射ミラー８の反射面を角度θ４に傾ける。
【００２６】
かかる構成の図５の疑似立体表示装置においては、第１映像信号源３１から出力された第１映像信号が信号切換器３５によって選択されると、全反射ミラー８は角度θ１に制御される。図５に示すように、ディスプレイ部７の表示映像である第１映像部は全反射ミラー５で反射されて観察者の目Ｅに到達し、観察者には虚像７ａが見える。次に、第２映像信号源３２から出力された第２映像信号が信号切換器３５によって選択されると、全反射ミラー８は角度θ２に制御される。ディスプレイ部７の表示映像である第２映像部は全反射ミラー５で反射されて観察者の目Ｅに到達し、観察者には虚像７ｂが見える。次に、第３映像信号源３３から出力された第３映像信号が信号切換器３５によって選択されると、全反射ミラー８は角度θ３に制御される。ディスプレイ部７の表示映像である第３映像部は全反射ミラー５で反射されて観察者の目Ｅに到達し、観察者には虚像７ｃが見える。次に、第４映像信号源３４から出力された第４映像信号が信号切換器３５によって選択されると、全反射ミラー８は角度θ４に制御される。ディスプレイ部７の表示映像である第４映像部は全反射ミラー５で反射されて観察者の目Ｅに到達し、観察者には虚像７ｄが見える。この映像信号の供給切り換え及びミラー角度切り換え動作が１／２４０秒毎に同期して行われ、更に、それが繰り返されると、虚像７ａ〜７ｄが時間的に合成されて観察者には図７に示すように、１フレーム分の映像として見える。
【００２７】
図５に示したように、虚像７ａ〜７ｄ各々は観察者からは上方であるほど遠ざかるように斜めに形成されるので、その虚像７ａ〜７ｄによる映像は立体的に表示される。第１映像部は遠景、第２映像部は中景、第３及び第４映像部は近景を示すならば、観察者はより立体感を感ずることができる。
【００２８】
図８は請求項４に係る発明が適用された疑似立体表示装置を示している。この疑似立体表示装置は、図１の疑似立体表示装置と同様に、４つのディスプレイ部（第１〜第４ディスプレイ部）４１〜４４と、全反射ミラー４５とを備えている。全反射ミラー４５は図５の装置中の全反射ミラー８と同様に、反射面が垂直方向に対して４つの角度θ１〜θ４だけ上方向に向くように角度調整機構４６が備えられている。θ１＜θ２＜θ３＜θ４である。
【００２９】
図８の疑似立体表示装置の映像信号発生部４９は、図９に示すように、表示制御部５０と共に、ディスプレイ部４１〜４４の各々について第１〜第４映像回路５１〜５４を備えている。映像回路５１〜５４は、第１〜第４映像信号源と信号切換器とを備えており、図６の第１〜第４映像信号源３１〜３４と、信号切換器３５と同様に構成されている。
【００３０】
表示制御部５０は、第１〜第４映像回路５１〜５４各々について、信号切換器を切り換え制御すると共に、第１〜第４映像信号源よる第１〜第４映像信号の発生の同期を制御する。また、角度調整機構４６を制御して全反射ミラー４５の反射面に傾き角度θ１〜θ４を与える。図１０に示すように、１フィールドの期間（１／６０秒）内に１／２４０秒（サブフィールド期間）毎に全反射ミラー４５の傾き角度をθ１，θ２，θ３，θ４の順に変化させる。また、図１０に示すように、全反射ミラー４５の傾き角度がθ１のとき映像回路５１〜５４各々において第１映像信号源から第１映像信号ａ１１，ａ１２，ａ１３，ａ１４が信号切換器を介してディスプレイ部４１〜４４に供給される。全反射ミラー４５の傾き角度がθ２のとき映像回路５１〜５４各々において第２映像信号源から第２映像信号ａ２１，ａ２２，ａ２３，ａ２４が信号切換器を介してディスプレイ部４１〜４４に供給される。全反射ミラー４５の傾き角度がθ３のとき映像回路５１〜５４各々において第３映像信号源から第３映像信号ａ３１，ａ３２，ａ３３，ａ３４が信号切換器を介してディスプレイ部４１〜４４に供給される。全反射ミラー４５の傾き角度がθ４のとき映像回路５１〜５４各々において第４映像信号源から第４映像信号ａ４１，ａ４２，ａ４３，ａ４４が信号切換器を介してディスプレイ部４１〜４４に供給される。
【００３１】
かかる構成の図８の疑似立体表示装置においては、１つのフィールドの期間が開始されると、先ず、全反射ミラー４５が角度θ１に制御され、同時に第１〜第４映像回路５１〜５４各々について第１映像信号源から出力された第１映像信号ａ１１，ａ１２，ａ１３，ａ１４が信号切換器によって選択される。このときには、図８に示すように、ディスプレイ部４１〜４４各々の表示映像である第１映像部は全反射ミラー４５で反射されて観察者の目Ｅに到達し、観察者には虚像５７ａ〜６０ａが空間的に合成されて１つの映像として見える。次に、全反射ミラー４５が角度θ２に制御され、同時に第１〜第４映像回路５１〜５４各々について第２映像信号源から出力された第２映像信号ａ２１，ａ２２，ａ２３，ａ２４が信号切換器によって選択される。このときには、図８に示すように、ディスプレイ部４１〜４４各々の表示映像である第２映像部は全反射ミラー４５で反射されて観察者の目Ｅに到達し、観察者には虚像５７ｂ〜６０ｂが空間的に合成されて１つの映像として見える。次に、全反射ミラー４５が角度θ３に制御され、同時に第１〜第４映像回路５１〜５４各々について第３映像信号源から出力された第３映像信号ａ３１，ａ３２，ａ３３，ａ３４が信号切換器によって選択される。このときには、図８に示すように、ディスプレイ部４１〜４４各々の表示映像である第３映像部は全反射ミラー４５で反射されて観察者の目Ｅに到達し、観察者には虚像５７ｃ〜６０ｃが空間的に合成されて１つの映像として見える。１つのフィールドの期間の最後に、全反射ミラー４５が角度θ４に制御され、同時に第１〜第４映像回路５１〜５４各々について第４映像信号源から出力された第４映像信号ａ４１，ａ４２，ａ４３，ａ４４が信号切換器によって選択される。このときには、図８に示すように、ディスプレイ部４１〜４４各々の表示映像である第４映像部は全反射ミラー４５で反射されて観察者の目Ｅに到達し、観察者には虚像５７ｄ〜６０ｄが空間的に合成されて１つの映像として見える。よって、１つのフィールドでは各サブフィールド期間の映像が時間的に合成され、その結果、立体映像を観察者は見ることができる。
【００３２】
この１フィールド期間の動作が図１０に示したように各フィールドにおいて繰り返されるが、図１１に示すように、１フィールド期間において全反射ミラー４５の傾き角度をθ１，θ２，θ３，θ４の順に変化させた後、次の１フィールド期間においては全反射ミラー４５の傾き角度をθ４，θ３，θ２，θ１の順に変化させて２フィールド単位の動作繰り返しにしても良い。
【００３３】
図１２は請求項５に係る発明が適用された疑似立体表示装置を示している。この疑似立体表示装置は、６つのディスプレイ部６１〜６６と、全反射ミラー６７とを備えている。ディスプレイ部６１〜６６は全反射ミラー６７の反射面前方において水平方向に対して所定の角度で斜め上方に向けて平行に配列されている。ディスプレイ部６１〜６６の画面サイズは上記したディスプレイ部１〜４等のスタンダードサイズのものより縦幅が全反射ミラー６７側に近いものほど狭くされている。なお、ディスプレイ部６１〜６６として画面がスタンダードサイズのものを用いて部分的に映像表示するようにしても良いことは勿論である。
【００３４】
全反射ミラー６７は、反射面が垂直方向に対して５つの角度θ１〜θ５だけ上方向に向くように角度調整機構６８が備えられている。θ１＜θ２＜θ３＜θ４＜θ５である。
【００３５】
図１２の疑似立体表示装置の映像信号発生部６９は、図１３に示すように、表示制御部７０と共に、ディスプレイ部６１〜６６の各々について第１〜第６映像回路７１〜７６を備えている。第１〜第６映像回路７１〜７６各々は、第１〜第５映像信号源と信号切換器とを備えており、第５映像信号源を備える点で異なるが、図６の第１〜第４映像信号源３１〜３４と、信号切換器３５と同様に構成されている。
【００３６】
表示制御部７０は、第１〜第６映像回路７１〜７６各々について、信号切換器を切り換え制御すると共に、第１〜第５映像信号源よる第１〜第５映像信号の発生の同期を制御する。また、角度調整機構６８を制御して全反射ミラー６７の反射面に傾き角度θ１〜θ５を与える。１フィールドの期間（１／６０秒）内に１／３００秒毎に全反射ミラー６７の傾き角度をθ１，θ２，θ３，θ４，θ５の順に変化させる。また、全反射ミラー６７の傾き角度がθ１のとき映像回路７１〜７６各々において第１映像信号源から第１映像信号ａ１１，ａ１２，ａ１３，ａ１４，ａ１５，ａ１６が信号切換器を介してディスプレイ部６１〜６６に供給される。全反射ミラー６７の傾き角度がθ２のとき映像回路７１〜７６各々において第２映像信号源から第２映像信号ａ２１，ａ２２，ａ２３，ａ２４，ａ２５，ａ２６が信号切換器を介してディスプレイ部６１〜６６に供給される。全反射ミラー６７の傾き角度がθ３のとき映像回路７１〜７６各々において第３映像信号源から第３映像信号ａ３１，ａ３２，ａ３３，ａ３４，ａ３５，ａ３６が信号切換器を介してディスプレイ部６１〜６６に供給される。全反射ミラー６７の傾き角度がθ４のとき映像回路７１〜７６各々において第４映像信号源から第４映像信号ａ４１，ａ４２，ａ４３，ａ４４，ａ４５，ａ４６が信号切換器を介してディスプレイ部６１〜６６に供給される。全反射ミラー６７の傾き角度がθ５のとき映像回路７１〜７６各々において第５映像信号源から第５映像信号ａ５１，ａ５２，ａ５３，ａ５４，ａ５５，ａ５６が信号切換器を介してディスプレイ部６１〜６６に供給される。
【００３７】
ディスプレイ部６１〜６６のうちの全反射ミラー６７に最も近いディスプレイ部６１には近景の映像が表示され、全反射ミラー６７に最も遠いディスプレイ部６６には遠景の映像が表示される。
【００３８】
かかる構成の図１２の疑似立体表示装置においては、１つのフィールドの期間が開始されると、先ず、全反射ミラー６７が角度θ１に制御され、同時に第１〜第６映像回路７１〜７６各々について第１映像信号源から出力された第１映像信号ａ１１，ａ１２，ａ１３，ａ１４，ａ１５，ａ１６が信号切換器によって選択される。このときには、図１２に示すように、ディスプレイ部６１〜６６各々の表示映像である第１映像部は全反射ミラー６７で反射されて観察者の目Ｅに到達し、観察者には虚像８１ａ〜８６ａが空間的に合成されて１つの映像として見える。次に、全反射ミラー６７が角度θ２に制御され、同時に第１〜第６映像回路７１〜７６各々について第２映像信号源から出力された第２映像信号ａ２１，ａ２２，ａ２３，ａ２４，ａ２５，ａ２６が信号切換器によって選択される。このときには、図１２に示すように、ディスプレイ部６１〜６６各々の表示映像である第２映像部は全反射ミラー６７で反射されて観察者の目Ｅに到達し、観察者には虚像８１ｂ〜８６ｂが空間的に合成されて１つの映像として見える。次に、全反射ミラー６７が角度θ３に制御され、同時に第１〜第６映像回路７１〜７６各々について第３映像信号源から出力された第３映像信号ａ３１，ａ３２，ａ３３，ａ３４，ａ３５，ａ３６が信号切換器によって選択される。このときには、図１２に示すように、ディスプレイ部６１〜６６各々の表示映像である第３映像部は全反射ミラー６７で反射されて観察者の目Ｅに到達し、観察者には虚像８１ｃ〜８６ｃが空間的に合成されて１つの映像として見える。更に、全反射ミラー６７が角度θ４に制御され、同時に第１〜第６映像回路７１〜７６各々について第４映像信号源から出力された第４映像信号ａ４１，ａ４２，ａ４３，ａ４４，ａ４５，ａ４６が信号切換器によって選択される。このときには、図１２に示すように、ディスプレイ部６１〜６６各々の表示映像である第４映像部は全反射ミラー６７で反射されて観察者の目Ｅに到達し、観察者には虚像８１ｄ〜８６ｄが空間的に合成されて１つの映像として見える。そして、１つのフィールドの期間の最後に、全反射ミラー６７が角度θ５に制御され、同時に第１〜第６映像回路７１〜７６各々について第５映像信号源から出力された第５映像信号ａ５１，ａ５２，ａ５３，ａ５４，ａ５５，ａ５６が信号切換器によって選択される。このときには、図１２に示すように、ディスプレイ部６１〜６６各々の表示映像である第５映像部は全反射ミラー６７で反射されて観察者の目Ｅに到達し、観察者には虚像８１ｅ〜８６ｅが空間的に合成されて１つの映像として見える。よって、１つのフィールドでは各サブフィールド期間の映像が時間的に合成され、その結果、立体映像を観察者は見ることができる。
【００３９】
この１フィールド期間の動作が各フィールドにおいて繰り返されるが、１フィールド期間において全反射ミラー６７の傾き角度をθ１，θ２，θ３，θ４，θ５の順に変化させた後、次の１フィールド期間においては全反射ミラー６７の傾き角度をθ５，θ４，θ３，θ２，θ１の順に変化させて２フィールド単位の動作繰り返しにしても良い。更には、１フィールド期間において全反射ミラー６７の傾き角度をθ１，θ３，θ５，θ４，θ２の順に飛び越しで変化させても良い。
【００４０】
上記した各実施例においては、ミラーとして全反射ミラーが用いられているが、ハーフミラーを用いても良い。ハーフミラーを用いた場合には、ミラーに対して観察者と反対側の虚像が見える位置に立体物を置いて、立体物と表示映像（虚像）とを合成して表示し、これにより観察者により立体感を与える表示を行うことができる。ハーフミラーとしては、所定の反射膜パターンが形成された透明基板で構成することができる。その反射膜パターンは、ストライプ状又は格子状である。また、反射膜パターンは、局所的な反射膜の比率が一定で繰り返し周期の異なるパターンで構成しても良い。
【図面の簡単な説明】
【００４１】
【図１】本発明の実施例を示す側面図である。
【図２】図１の疑似立体表示装置の映像信号発生部を示すブロック図である。
【図３】図１の疑似立体表示装置の表示映像例を示す図である。
【図４】図１の疑似立体表示装置の映像信号発生部の他の例を示すブロック図である。
【図５】本発明の実施例を示す側面図である。
【図６】図５の疑似立体表示装置の映像信号発生部を示すブロック図である。
【図７】図７の疑似立体表示装置の表示映像例を示す図である。
【図８】本発明の実施例を示す側面図である。
【図９】図８の疑似立体表示装置の映像信号発生部を示すブロック図である。
【図１０】サブフィールド毎のミラーの傾き角度と各ディスプレイ部へ供給される映像信号とを示すテーブル図である。
【図１１】別の例として、サブフィールド毎のミラーの傾き角度と各ディスプレイ部へ供給される映像信号とを示すテーブル図である。
【図１２】本発明の実施例を示す側面図である。
【図１３】図１２の疑似立体表示装置の映像信号発生部を示すブロック図である。
【主要部分の符号の説明】
【００４２】
１〜４，７，４１〜４４，６１〜６６  ディスプレイ部
５，８，４５，６７  全反射ミラー
６，９，４９，６９  映像信号発生部
【図１】
2009145829.tif 000003
【図２】
2009145829.tif 000004
【図３】
2009145829.tif 000005
【図４】
2009145829.tif 000006
【図５】
2009145829.tif 000007
【図６】
2009145829.tif 000008
【図７】
2009145829.tif 000009
【図８】
2009145829.tif 000010
【図９】
2009145829.tif 000011
【図１０】
2009145829.tif 000012
【図１１】
2009145829.tif 000013
【図１２】
2009145829.tif 000014
【図１３】
2009145829.tif 000015